(57)【要約】【課題】表面に形成されている賞味期限等が印字された剥離部を粘着テープ等にて剥離させて、詰め替え用のびん等に貼着することにより賞味期限等を表示できるようにした詰め替え用袋を提供することである。【解決手段】詰め替えて使用する内容物を包装した包装袋の外面の所定位置に、粘着テープ等により剥離可能な剥離層が包装袋の外面に直接ないしは離型層を介して形成され、剥離層の外面にインクジェットプリンターにより賞味期限が表示されている構成の詰め替え用袋である。【選択図】　　　　図１
2004067200.tif 000002
【特許請求の範囲】
【請求項１】
プラスチック積層体からなる袋の外面の所定位置に粘着テープ等により剥離可能な剥離層が形成され、前記剥離層の外面に賞味期限が表示されている構成からなることを特徴とする詰め替え用袋。
【請求項２】
前記剥離層が袋の外面に離型層を介して形成されていることを特徴とする請求項１記載の詰め替え用袋。
【請求項３】
前記賞味期限がインクジェットプリンターにより印字されたものであることを特徴とする請求項１または２に記載の詰め替え用袋。
【請求項４】
前記剥離層の厚さが２〜６μｍとされていることを特徴とする請求項１〜３のいずれかに記載の詰め替え用袋。
【発明の詳細な説明】
【０００１】
【発明の属する技術分野】
本発明は、賞味期限が表示された剥離層を粘着テープ等により袋の外面から剥離して、詰め替え用のびん等に貼着することにより賞味期限を表示することができる詰め替え用袋に関する。
【０００２】
【従来の技術】
従来、中身を詰め替えて使用する詰め替え用のびん等に賞味期限を表示する方法としては、実用新案登録第３０６９７４６号に記載されているような、裏面全域に感圧粘着剤が塗布され剥離可能な離型紙に積層された上紙の表面にラベル表示を印刷すると共に、上紙の一部に切込により賞味期限等を表示するようにした小ラベル部を設け、小ラベル部の裏面の離型紙を小ラベル部をカバーする大きさに切込を形成した構成の粘着ラベルが知られているが、この粘着ラベルの場合、粘着ラベルの構成が複雑であるため粘着ラベルが高価であるとともに粘着ラベルを食品等を包装する容器に貼着する工程が必要になるという欠点がある。
【０００３】
また、インスタントコーヒー等を包装する詰め替え用袋において、切り取り可能な所定位置に賞味期限等が印字されている構成としておき、消費者がその商品を購入してインスタントコーヒー等の内容物をびん等に詰め替える際に、賞味期限等が印字された箇所を切り取って粘着テープ等により詰め替え用びんに貼り付けて賞味期限等を表示する方法が知られているが、包装袋の賞味期限等が印字された箇所を切り取って粘着テープ等により貼り付ける手間が必要になるという欠点がある。
【０００４】
【発明が解決しようとする課題】
本発明の目的は、表面に形成されている賞味期限等が印字された剥離部を粘着テープ等にて剥離させて、詰め替え用のびん等に貼着することにより賞味期限等を表示できるようにした詰め替え用袋を提供することである。
【０００５】
【課題を解決するための手段】
外面の所定位置に粘着テープ等により剥離可能な剥離層が形成され、前記剥離層の外面に賞味期限が表示されている構成とすることにより、賞味期限が表示されている剥離層を粘着テープ等にて袋の外面から剥離させ、詰め替え用袋に包装されている内容物を詰め替えるびん等の表面に貼り付けることにより、詰め替え用びん等に簡単に賞味期限を表示することができる。
【０００６】
上記の詰め替え用袋において、剥離層が袋の外面に離型層を介して形成されている構成とすることにより、袋の表面の材質に関係なく、消費者の手にわたるまでに賞味期限が表示された剥離層が脱落したりすることがなく、且つ内容物をびん等に詰め替える際には、粘着テープ等により剥離層を離型層面から容易に剥離させることができる。
【０００７】
上記の詰め替え用袋において、前記賞味期限がインクジェットプリンターにより印字されたものである構成とすることにより、袋に内容物を充填する工程において剥離層面に賞味期限を効率よく表示することができる。
【０００８】
上記の詰め替え用袋において、剥離層の厚さが２〜６μｍとされた構成とすることにより、剥離層を粘着テープ等を使用して剥離させる際に、剥離層が欠けたり亀裂が入ったりすることなくきれいに膜状に剥離させることができる。
【０００９】
【発明の実施の形態】
以下、図面を引用して本発明の実施の形態を説明する。
図１は本発明の第１実施形態を示す平面図、図２は図１のＩ−Ｉ拡大断面図、図３は本発明の第２実施形態を示す平面図、図４は図３のＩＩ−ＩＩ拡大断面図であり、２は側端熱接着部、３，３’は底熱接着部、４はＶ字状折込部、５は剥離層、６は離型層、７は賞味期限、８はロット番号、９はプラスチック積層体をそれぞれ表す。
【００１０】
本発明の第１実施形態は図１、図２に示すとおりであり、プラスチック積層体９からなり、両側端にＶ字状折込部４を形成した状態で４箇所の側端熱接着部２により筒状に形成され、底部が底熱接着部３により密封されるとともに、底熱接着部３の上端からそれぞれＶ字状折込部４を斜め外側に過る底熱接着部３’が形成された角底状ガセット袋の表裏いずれかの外面の中央部の位置に、粘着テープ等により剥離可能な剥離層５が形成され、剥離層５の外面にインクジェットプリンターを使用して賞味期限７、ロット番号８等が表示されている構成である。袋の表面に形成された賞味期限７、ロット番号８等が表示されている剥離層５は粘着テープ等により簡単に剥離させて、そのまま詰め替え用びん等の外面に貼着して賞味期限を表示することができるものである。
【００１１】
本発明の第２実施形態は図３、図４に示すとおりであり、第２実施形態は第１実施形態と比較して、角底状ガセット袋の表裏いずれかの外面の中央部の位置に離型層６を介して剥離層５が形成されている点で異なる以外は基本的には同じ構成である。離型層６は剥離層５よりもやや大きい面積で剥離層５の周囲にはみ出るように形成されている。第２実施形態では、剥離層５は離型層６との界面での剥離となるため、袋を構成するプラスチック積層体９の表面を形成するプラスチックの種類に関係なく、粘着テープ等による簡単に剥離層５を離型層６面から剥離させることができる。第２実施形態においても、袋の表面に形成された賞味期限が表示されている剥離層５を粘着テープ等により剥離させて、そのまま詰め替え用びん等の外面に貼着して賞味期限を表示することができる。
【００１２】
第１、第２実施形態における袋の形状は特に制限はなく任意であり、角底状ガセット袋、底をＶ字状に折り込んだ自立袋、３方シール袋、ピロータイプ袋等とすることができる。賞味期限を表示する剥離層は粘着テープ等により剥離しやすいように袋の表裏いずれかの中央部に形成するのが好ましい。剥離層には賞味期限のみを表示してもよいし、ロット番号、製造所の記号等を印字してもよい。
【００１３】
第１実施形態における剥離層５、ないしは第２実施形態における離型層６及び剥離層５は、プラスチック積層体９を構成する表面層の外面にグラビア印刷等の印刷により形成されるものである。剥離層５の厚さとしては２〜６μｍとするのが好ましい。剥離層５の厚さが薄いと粘着テープ等により剥離する際に、袋の表面層ないしは離型層６面から剥離層５がきれいに膜状に剥離しにくくなる。剥離層５を２〜６μｍの厚さに形成するには、剥離層５を形成する樹脂を２０〜４０重量％含むインキを使用して３０〜５０μｍの深さのグラビア印刷版にて１回刷りないし２回刷りすることにより形成することができる。剥離層５を形成するインキとしては樹脂を２０〜４０重量％、白色顔料を樹脂に対して２０〜３０重量％含む白色インキが使用される。離型層６としては、１〜３μｍの厚さの均一な塗膜が形成できるように印刷される。
【００１４】
第１実施形態のように袋を構成するプラスチック積層体の外面に直接剥離層を形成する構成の場合は、剥離層は、プラスチック積層体の外面との剥離性に優れたセルロース系樹脂等を主成分とするインキで印刷して形成するのが好ましく、また、第２実施形態のように袋を構成するプラスチック積層体の外面に離型層を介して剥離層を形成する構成の場合は、離型層を形成する樹脂と剥離層を形成する樹脂が相溶性のないことが必要となるので、離型層はポリアミド系樹脂等からなるインキを使用して形成し、剥離層は塩化ビニル−酢酸ビニル共重合体等からなるインキを使用して形成するのが好ましい。
【００１５】
プラスチック積層体の構成としては、表面層が２軸延伸ポリエチレンテレンタレート、２軸延伸ポリプロピレン、２軸延伸ナイロン等の２軸延伸フィルムからなり、内面層が低密度ポリエチレン、線状低密度ポリエチレン、中密度ポリエチレン等の熱接着性樹脂層からなる構成であれば特に制限はないが、２軸延伸フィルム層と熱接着性樹脂層間に他の２軸延伸フィルム、金属または金属酸化物蒸着２軸延伸プラスチックフィルム、エチレン−ビニルアルコール共重合体（ＥＶＯＨ）等のガスバリヤー性フィルム、アルミニウム箔等を積層した構成とするのが好ましい。
【００１６】
詰め替え用袋を構成するプラスチック積層体としては、例えば、２軸延伸ポリエチレンテレフタレート（ＰＥＴ）／印刷／押出ポリエチレン（ＥＣ）／アルミニウム箔（ＡＬ）／押出ポリエチレン（ＥＣ）／線状低密度ポリエチレン（ＬＬＤＰＥ）、ＰＥＴ／印刷／ドライラミネーション（ＤＬ）／ＡＬ／ＰＥＴ／ＤＬ／ＬＬＤＰＥ、ＰＥＴ／印刷／ＥＣ／未延伸ポリプロピレン等である。
【００１７】
【発明の効果】
袋の外面の所定位置に粘着テープ等により剥離可能な剥離層が直接ないしは離型層を介して形成され、剥離層の外面にインクジェットプリンターにより賞味期限が表示されている構成の詰め替え用袋とすることにより、賞味期限が表示されている剥離層を粘着テープ等にて袋の外面から剥離させ、そのまま袋に収納されている内容物を詰め替えるびん等の表面に貼り付けることにより、詰め替え用びん等に簡単に賞味期限を表示することができるので賞味期限を知るのにきわめて便利であり、特にインスタントコーヒー、レギュラーコーヒー、粉末ミルク、インスタントココア、粉末ミルクココア、お茶等の賞味期限を厳守する必要のある食品の詰め替え用袋として効果的に使用することができるものである。
【図面の簡単な説明】
【図１】本発明の第１実施形態を示す平面図。
【図２】図１におけるＩ−Ｉ拡大断面図。
【図３】本発明の第２実施形態を示す平面図。
【図４】図３におけるＩＩ−ＩＩ拡大断面図。
【符号の説明】
２　側端熱接着部
３，３’　底熱接着部
４　Ｖ字状折込部
５　剥離層
６　離型層
７　賞味期限
８　ロット番号
９　プラスチック積層体
【図１】
2004067200.tif 000003
【図２】
2004067200.tif 000004
【図３】
2004067200.tif 000005
【図４】
2004067200.tif 000006